(57)【要約】【課題】制御装置に対する不正対策に優れた遊技盤を提供する。【解決手段】遊技盤の裏面に配設した設置部材２８に保持部４５が設けられ、該保持部４５に第２通孔４６が形成される。設置部材２８に取り付けたベース部材３３に、主制御基板を基板ケース３１に収容した主制御装置３２が位置決め固定される。基板ケース３１における保持部４５と対応する側に第２の固定部４０が設けられ、該第２の固定部４０に第１通孔４４が形成される。第１通孔４４および第２通孔４６に挿入部４８ａを挿通した締結バンド４７は、該挿入部４８ａを締結部５０の締結孔に挿入することで環状となる。挿入部４８ａの係合部が締結孔内に設けた被係合部に係合することで、締結バンド４７は、挿入部４８ａが締結孔から抜止め状態で保持される。【選択図】図４
2015142851.tif 000002
【特許請求の範囲】
【請求項１】
基板ケースを設置部に配設した遊技機において、
前記基板ケースと前記設置部とを連結する締結バンドを備え、
前記締結バンドは、細長状のバンド本体と、該バンド本体の一端側に設けた係合部と、前記バンド本体の他端側に設けた締結部と、該締結部に形成した締結孔内に設けられ、前記係合部に係合可能な被係合部とを有し、前記バンド本体の一端側を前記締結部の締結孔に挿通して前記被係合部と前記係合部とを係合することで、前記バンド本体を前記締結孔から抜止め状態に保持するよう構成され、
前記基板ケースの係合部を前記設置部の被係合部に対して所定方向から係合することで当該設置部に前記基板ケースが位置決めされるよう構成され、
前記基板ケースの係合部を前記設置部の被係合部に対して係合する方向とは反対方向への前記基板ケースの移動が前記締結バンドで規制されるよう構成され、
前記締結バンドは、正規品であるか否かを判別できるようになっている
ことを特徴とする遊技機。
【請求項２】
基板ケースを設置部に配設した遊技機において、
前記基板ケースと前記設置部とを連結する締結バンドを備え、
前記締結バンドは、細長状のバンド本体と、該バンド本体の一端側に設けた係合部と、前記バンド本体の他端側に設けた締結部と、該締結部に形成した締結孔内に設けられ、前記係合部に係合可能な被係合部とを有し、前記バンド本体の一端側を前記締結部の締結孔に挿通して前記被係合部と前記係合部とを係合することで、前記バンド本体を前記締結孔から抜止め状態に保持するよう構成され、
前記基板ケースの係合部を前記設置部の被係合部に対して所定方向から係合することで当該設置部に前記基板ケースが位置決めされるよう構成され、
前記基板ケースの係合部を前記設置部の被係合部に対して係合する方向とは反対方向への前記基板ケースの移動が前記締結バンドで規制されるよう構成され、
前記締結バンドは、該締結バンドを区別可能な部位が、前記バンド本体を前記抜止め状態とした場合に外表面側に現れるよう構成されている
ことを特徴とする遊技機。
【発明の詳細な説明】
【技術分野】
【０００１】
本発明は、基板ケースに制御基板を収納した制御装置を備えた遊技機に関するものである。
【背景技術】
【０００２】
例えば、遊技機の代表例の一つであるパチンコ機は、機内にセットされる遊技盤の盤面にパチンコ球(遊技球)が打ち出される遊技領域が画成されている。遊技盤の後側には、設置部材が配設され、該設置部材に、各種図柄を変動表示して図柄変動演出を行なう液晶式やドラム式等の図柄表示装置が配設される。また、前記遊技盤には、図柄表示装置の下方位置に、該図柄表示装置での図柄変動演出を開始させる契機となる始動入賞装置が配設されている。前記始動入賞装置には、球検出センサが設けられており、前記遊技領域を流下するパチンコ球が、始動入賞装置に設けた始動口に入賞して球検出センサで検出されることで、図柄表示装置での図柄変動演出を開始させると共に、パチンコ球を賞球として払い出すよう構成される。そして、前記図柄表示装置で図柄変動に伴うリーチ演出等の各種の遊技演出がなされ、該図柄表示装置に図柄が所定の組み合わせで停止することにより所謂大当りが発生すると、遊技盤に設けられた特別入賞装置が開放して多数の賞球を獲得し得るチャンスが与えられるよう構成されている。
【０００３】
前記パチンコ機は、遊技の進行や賞球の払い出し等を制御するための種々の制御基板を基板ケースに収納した各種の制御装置が、前記設置部材に配設されている(例えば、特許文献１参照)。前記制御基板には、遊技内容に関わるプログラムを記憶したＲＯＭが搭載されているため、不正なプログラムが記憶されたＲＯＭを搭載した不正な制御基板と交換されることを防ぐために、上ケースと下ケースとからなる前記基板ケースにおいて、両ケースの端部に設けた取付部を、開封方向への回転が困難に形成されたねじで連結する構成が採用されている。すなわち、このような構成の基板ケースでは、ねじ止めした取付部を破断しない限り開封することができないから、不正な制御基板との交換を防止することができ、しかも破断時には痕跡が残るので、開封したことを認識できる。
【先行技術文献】
【特許文献】
【０００４】
【特許文献１】特開２０００−１５７７０６号公報
【発明の概要】
【発明が解決しようとする課題】
【０００５】
しかしながら、前記制御装置は、制御基板の故障時等の点検や不正行為の有無の確認を行なうために、設置部材に対して着脱自在に構成されている。このため、制御装置ごと偽装品と取り替えられるおそれがある。この場合は、前述したような痕跡が無いので、不正行為の発見が極めて困難となる問題があった。
【０００６】
すなわち本発明は、従来の技術に内在する前記問題に鑑み、これらを好適に解決するべく提案されたものであって、制御装置に対する不正対策に優れた遊技盤を提供することを目的とする。
【０００７】
前記課題を克服し、所期の目的を達成するため、本願の請求項１に係る発明は、
基板ケース(31)を設置部(28)に配設した遊技機において、
前記基板ケース(31)と前記設置部(28)とを連結する締結バンド(47)を備え、
前記締結バンド(47)は、細長状のバンド本体(48)と、該バンド本体(48)の一端側に設けた係合部(49)と、前記バンド本体(48)の他端側に設けた締結部(50)と、該締結部(50)に形成した締結孔(50a)内に設けられ、前記係合部(49)に係合可能な被係合部(51)とを有し、前記バンド本体(48)の一端側を前記締結部(50)の締結孔(50a)に挿通して前記被係合部(51)と前記係合部(49)とを係合することで、前記バンド本体(48)を前記締結孔(50a)から抜止め状態に保持するよう構成され、
前記基板ケース(31)の係合部(39)を前記設置部(28)の被係合部(41)に対して所定方向から係合することで当該設置部(28)に前記基板ケース(31)が位置決めされるよう構成され、
前記基板ケース(31)の係合部(39)を前記設置部(28)の被係合部(41)に対して係合する方向とは反対方向への前記基板ケース(31)の移動が前記締結バンド(47)で規制されるよう構成され、
前記締結バンド(47)は、正規品であるか否かを判別できるようになっていることを要旨とする。
【０００８】
請求項１に係る発明によれば、係合部と被係合部との係合状態を解除する基板ケースの移動を締結バンドで規制することができ、設置部に締結バンドで連結したまま基板ケースを取り外す不正行為を防止し得る。また、正規品の締結バンドによって連結された基板ケースであれば正規品であることが判る。
【０００９】
前記課題を克服し、所期の目的を達成するため、本願の請求項２に係る発明は、
基板ケース(31)を設置部(28)に配設した遊技機において、
前記基板ケース(31)と前記設置部(28)とを連結する締結バンド(47)を備え、
前記締結バンド(47)は、細長状のバンド本体(48)と、該バンド本体(48)の一端側に設けた係合部(49)と、前記バンド本体(48)の他端側に設けた締結部(50)と、該締結部(50)に形成した締結孔(50a)内に設けられ、前記係合部(49)に係合可能な被係合部(51)とを有し、前記バンド本体(48)の一端側を前記締結部(50)の締結孔(50a)に挿通して前記被係合部(51)と前記係合部(49)とを係合することで、前記バンド本体(48)を前記締結孔(50a)から抜止め状態に保持するよう構成され、
前記基板ケース(31)の係合部(39)を前記設置部(28)の被係合部(41)に対して所定方向から係合することで当該設置部(28)に前記基板ケース(31)が位置決めされるよう構成され、
前記基板ケース(31)の係合部(39)を前記設置部(28)の被係合部(41)に対して係合する方向とは反対方向への前記基板ケース(31)の移動が前記締結バンド(47)で規制されるよう構成され、
前記締結バンド(47)は、該締結バンド(47)を区別可能な部位が、前記バンド本体(48)を前記抜止め状態とした場合に外表面側に現れるよう構成されていることを要旨とする。
請求項２に係る発明によれば、係合部と被係合部との係合状態を解除する基板ケースの移動を締結バンドで規制することができ、設置部に締結バンドで連結したまま基板ケースを取り外す不正行為を防止し得る。
【発明の効果】
【００１０】
本発明に係る遊技機によれば、制御装置に対する不正対策が優れている。
【図面の簡単な説明】
【００１１】
【図１】本発明の好適な実施例に係るパチンコ機を示す正面図である。
【図２】実施例のパチンコ機を示す背面図である。
【図３】実施例の遊技盤の要部を示す背面図である。
【図４】実施例の設置部材と基板ケースとの連結部分を、連結状態で示す要部概略斜視図である。
【図５】実施例の設置部材、基板ケースおよび締結バンドを分離した状態で示す要部概略斜視図である。
【図６】図３のＡ−Ａ線で示す要部断面図である。
【図７】図３のＢ−Ｂ線で示す要部断面図である。
【図８】実施例の締結バンドを表側から見た状態で示す概略斜視図である。
【図９】実施例の締結バンドを裏側から見た状態で示す概略斜視図である。
【図１０】実施例の締結バンドを被係合部と係合部とを係合する前の状態で示す縦断面図である。
【図１１】実施例の締結バンドを被係合部と係合部とを係合した状態で示す縦断面図である。
【図１２】(ａ)は、実施例の検査装置を示す概略側面図であり、(ｂ)は、(ａ)のＸ矢視図である。
【図１３】実施例の検査装置の制御ブロック図である。
【図１４】設置部材と基板ケースとの連結部分の別実施例を示す要部概略図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。なお、以下の説明では、「前」、「後」、「左」、「右」とは、特に断りのない限り、図１に示すようにパチンコ機１０を正面側(遊技者側)から見た状態で指称するものとする。
【実施例】
【００１３】
(パチンコ機１０について)
実施例に係るパチンコ機１０は、図１および図２に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組み付けられて、該遊技盤１２の裏側に、各種図柄を変動表示可能な図柄表示装置１４が着脱可能に配設されている。また、前記中枠１３の前面側には、前記遊技盤１２を透視保護するガラス板や透明な合成樹脂材により形成された透明部材で前後に開口する窓部を覆うよう構成された装飾枠としての前枠１５が開閉可能に組み付けられる。前枠１５の下部位置には、パチンコ球を貯留する上球受け皿１６および下球受け皿１７が上下に離間して前枠１５と一体的に開閉可能に設けられている。また前枠１５には、下球受け皿１７の側方に、前記中枠１３に配設された打球発射装置(図示せず)を作動する操作ハンドル１８が設けられ、該操作ハンドル１８の回動操作によって打球発射装置が作動されて、前記上球受け皿１６に貯留されたパチンコ球が前記遊技盤１２に向けて発射されるようになっている。なお、実施例では、前記図柄表示装置１４としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１４】
(中枠１３について)
前記中枠１３は、図２に示す如く、上側縁をなす上枠体１３ａと、下側縁をなし、スピーカおよび打球発射装置等の各種遊技部品を設置する設置部として機能する合成樹脂製の下枠体１３ｂと、左側縁をなす左枠体１３ｃと、右側縁をなす右枠体１３ｄとから略矩形状に形成されている。そして外枠１１に対して中枠１３は、互いの正面左側上下に配設されたヒンジ機構で横開き開閉および着脱が可能に取り付けられ、正面右側に設けられた一般的な施錠装置を利用して常には外枠１１と係合された閉鎖状態に保持される。中枠１３には、４つの枠体１３ａ,１３ｂ,１３ｃ,１３ｄにより前後に開口する遊技盤保持部が画成され、該遊技盤保持部に遊技盤１２が着脱自在にセット保持される。なお、中枠１３は、上下・左右の枠体を一体で形成したものであってもよい。図１において、遊技盤１２の前面に配設されている各種の遊技部品は、後述する案内レール２７を除いて図示省略してある。
【００１５】
前記パチンコ機１０には、図２に示す如く、前記中枠１３の裏側上部(図柄表示装置１４の上側)に位置して、設置枠台等に設けられた外部球供給設備から供給されるパチンコ球を貯留する球タンク１９が左右方向に延在するよう設けられている。また、中枠１３の裏側下部(図柄表示装置１４の下側)には、上下の球受け皿１６,１７に連通する球通出案内部(図示せず)が設けられている。パチンコ機１０では、球タンク１９と球通出案内部とが、各部材１９,２１における左側の端部間に架設された球通路ユニット２１を介して連通接続されており、該球通路ユニット２１に配設された球払出し装置２２の駆動により球タンク１９に供給されたパチンコ球を上下の球受け皿１６,１７へ給出し得るよう構成されている。
【００１６】
前記中枠１３(パチンコ機１０)における下枠部１３ｂの裏側には、パチンコ機１０の電源制御を行なう電源基板、球通路ユニット２１に配設した球払出し装置２２を駆動制御する払出し制御基板２３、中枠１３に設置された打球発射装置を駆動制御する発射制御基板２４、外部端末に接続されるインターフェース基板２５等が配設されている(図２参照)。電源基板、払出し制御基板２３、発射制御基板２４、インターフェース基板２５は、遊技盤１２の裏側に配設される主制御基板(制御基板)２６に配線接続され、この主制御基板２６からの制御信号に基づいて所定の制御が実行される。前記中枠１３に配設される各種制御基板２３,２４,２５は、何れもケースに収容された状態でユニット化され、該ケースが下枠部１３ｂの裏側の所定位置に取り付けられる。
【００１７】
(遊技盤１２について)
前記遊技盤１２は、合板等の木製板部材の表面にセル板を配設したもの、あるいはアクリル板等の透明な合成樹脂製等からなる平板状の板部材で構成される。遊技盤１２の前面には、案内レール２７によって遊技領域１２ａが画成され、前記中枠１３に配設された打球発射装置から発射されたパチンコ球が遊技領域１２ａ内に打ち出され、該遊技領域１２ａ内をパチンコ球が流下して遊技が行なわれる。また遊技盤１２の前面には、図示しないが、遊技領域１２ａ内に枠状装飾部材、パチンコ球が入賞可能な始動入賞装置、特別入賞装置、普通入賞装置等の各種入賞装置および多数本の遊技釘や風車等の各種遊技部品が配設されている。遊技盤１２の裏側には、図柄表示装置１４、可動演出装置および発光装置等の各種の遊技部品が配設される合成樹脂材で形成された設置部材２８が配設される。そして、設置部材２８に形成された前後に開口する開口部および枠状装飾部材に形成した窓口を介して図柄表示装置１４の表示部を前面側から視認し得るよう構成されている。
【００１８】
前記始動入賞装置は、遊技領域１２ａを流下するパチンコ球が入賞可能な始動入賞口が設けられ、該始動入賞口へ入賞したパチンコ球が始動入賞センサで検出されることで、図柄表示装置１４の表示部で図柄変動が開始されると共に、所定数(例えば５個)のパチンコ球が賞球として前記上下の球受け皿１６,１７に払い出される。また、前記特別入賞装置は、入賞口が開閉扉で常には閉鎖されており、前記図柄表示装置１４での図柄変動の結果、図柄表示装置１４に所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得るようになっている。
【００１９】
前記設置部材２８に着脱可能に配設される図柄表示装置１４には、該図柄表示装置１４における液晶パネルの表示を制御する演出表示制御基板２９が、ケースに収容されて後面に配設されている(図２参照)。また、図柄表示装置１４の後面には、パチンコ機１０を発光演出する発光装置を発光制御したり、スピーカの効果音出力制御を行なう統括制御基板３０が、ケースに収容されて演出表示制御基板２９と並んで配設されている。パチンコ機１０では、制御基板同士または制御基板と遊技部品である入賞装置の入賞センサ、図柄表示装置１４、発光装置、スピーカ、図示しない可動体のモータやソレノイド等がハーネスを介して電気的に接続される。
【００２０】
前記設置部材２８の裏側下部(図柄表示装置１４の配設位置の下側)に、パチンコ機１０の遊技を総合的に制御する主制御基板２６が配設されている。この主制御基板２６には、制御動作を所定の手順で実行することができる主制御用ＣＰＵ、主制御用ＣＰＵの制御プログラムを格納する主制御用ＲＯＭおよび必要なデータの書き込み及び読み出しができる主制御用ＲＡＭ等の電子部品(何れも図示せず)が設けられている。主制御用ＣＰＵには、始動入賞口に入賞したパチンコ球を検知した始動入賞センサからの検知信号、特別入賞口に入賞したパチンコ球を検知した特別入賞センサからの検知信号、および普通入賞口に入賞したパチンコ球を検知した普通入賞センサからの検知信号等が入力される。主制御用ＣＰＵは、大当り判定用乱数、大当り図柄用乱数や変動パターン振分用乱数などの各種乱数の値を所定の周期毎に更新し、更新後の値を主制御用ＲＡＭの設定領域に記憶(設定)することで更新前の値を書き換えている。例えば、主制御基板２６では、始動入賞センサから検知信号が入力されると、主制御用ＣＰＵが主制御用ＲＡＭから大当り判定用乱数を取得し、この大当り判定用乱数と主制御用ＲＯＭの大当り判定値とを比較し、大当りとするか否かの大当り抽選(大当り判定)を行なう。また主制御基板２６では、前記大当り判定の結果が大当りの場合には、大当り演出のみが含まれる変動パターンテーブルから大当り演出を決定する。これに対して、前記大当り判定の結果がはずれの場合には、はずれ演出のみが含まれる変動パターンテーブルからはずれ演出を決定する。大当り演出およびはずれ演出の決定は、前記大当り判定と同様に、主制御用ＣＰＵが主制御用ＲＡＭから取得した乱数により行なう。なお、変動パターンテーブルから決定される大当り演出およびはずれ演出の変動パターンは、少なくとも図柄変動ゲームの変動時間および演出内容を特定するものである。
【００２１】
前記パチンコ機１０では、主制御基板２６の抽選結果に応じて出力された統括制御基板３０の制御信号に基づいて、演出表示制御基板２９が図柄表示装置１４を所定の演出表示させると共に、主制御基板２６の制御により出力された払出し制御基板２３の制御信号に基づいて、前記球払出し装置２２によって所定数の賞球が払い出される。また、パチンコ機１０では、統括制御基板３０の制御信号に基づいて、各発光装置を発光させ、スピーカから効果音を出力するようになっている。このように、主制制基板２６は、パチンコ機１０の遊技および賞球の払出しを司る極めて重要な基板である。
【００２２】
前記主制御基板２６は、不正なプログラムが記憶されたＲＯＭを搭載した不正なものと交換されることを防ぐために、前半体と後半体とからなる基板ケース３１に収容される。前半体および後半体は、開封方向への回転が困難に形成されたねじで連結することで、主制御基板２６を封入し、前記ねじによる締結部位を破壊しない限り基板ケース３１の開放を阻止する構成を採用することで、主制御基板２６の不正交換を抑止するようにしている。実施例では、主制御基板２６を基板ケース３１に収容したものを主制御装置(制御装置)３２と指称する。
【００２３】
(ベース部材３３について)
前記設置部材２８の裏側下部(図柄表示装置１４の下側)に、主制御装置３２の設置部となるベース部材３３が着脱自在に配設されている。図３〜図６に示す如く、このベース部材３３における左右方向の一端(実施例では左端)に、外側方に突出する第１の係合突部３４が設けられると共に、該ベース部材３３における左右方向の他端(実施例では右端)に、外側方に突出する第１の固定部３５が設けられている。これに対し、前記設置部材２８の裏面には、第１の係合突部３４に対応する位置に、後方に突出する受部３６が形成されると共に、該受部３６における右側面には、設置部材２８の裏面との間に所定の隙間を画成するよう右方に向けて延出する被係合受部３６ａが上下に離間する２箇所に設けられている。そして、第１の係合突部３４を被係合受部３６ａの右方に臨ませたベース部材３３を設置部材２８に対して左側へ移動することで、設置部材２８の裏面と被係合受部３６ａ,３６ａとの間に第１の係合突部３４が挿入され、これによってベース部材３３の左端部が設置部材２８に対して係止されるよう構成される。なお、第１の係合突部３４の裏面には、該第１の係合突部３４が一対の被係合受部３６ａ,３６ａと設置部材２８の裏面との間に挿入された状態で、両被係合受部３６ａ,３６ａの間に嵌合する規制突部３４ａが設けられ、該規制突部３４ａと両被係合受部３６ａ,３６ａとによってベース部材３３の上下方向の移動が規制されるようになっている。
【００２４】
前記設置部材２８には、図３,図４または図７に示す如く、前記受部３６から右方に離間して第１の被固定部３７が設けられ、前記第１の係合突部３４が被係合受部３６ａ,３６ａと設置部材２８の裏面との間に挿入された係止状態で、ベース部材３３に設けた前記第１の固定部３５が設置部材２８の第１の被固定部３７の後側に整合するよう構成される。そして、第１の固定部３５と第１の被固定部３７とを連結具３８によって連結することで、ベース部材３３は設置部材２８に位置決め固定されるようになっている。
【００２５】
(主制御装置３２について)
前記設置部材２８に位置決め固定した前記ベース部材３３の裏側に、前記主制御装置３２が取り付けられる。主制御装置３２を構成する基板ケース３１には、図３または図６に示す如く、左右方向の一端(実施例では左端)に、外側方に突出する第２の係合突部(係合突部)３９が設けられると共に、該基板ケース３１における左右方向の他端(実施例では右端)に、外側方に突出する第２の固定部(固定部)４０が設けられている。これに対し、前記ベース部材３３の裏面には、第２の係合突部３９に対応する位置に、該第２の係合突部３９を挿脱可能な差込み受部４１が後方へ突出するよう形成される。この差込み受部４１には、右側(後述する第２被固定部側)に開口する係合孔４１ａが開設され、第２の係合突部３９を差込み受部４１の右方に臨ませた基板ケース３１をベース部材３３に対して左側へ移動することで、差込み受部４１の係合孔４１ａに第２の係合突部３９が挿入されて差込み受部４１に係合し、これによって基板ケース３１の左端部がベース部材３３に対して係止されるよう構成される。
【００２６】
前記ベース部材３３には、図３〜図５に示す如く、前記差込み受部４１から右方に離間して第２の被固定部(被固定部)４２が設けられ、前記第２の係合突部３９が差込み受部４１の係合孔４１ａに挿入された係止状態で、基板ケース３１に設けた前記第２の固定部４０がベース部材３３の第２の被固定部４２の後側に整合するよう構成される。そして、第２の被固定部４２に第２の固定部４０を固定具４３によって固定することで、基板ケース３１(主制御装置３２)はベース部材３３に位置決め固定されるようになっている。
【００２７】
(固定具４３について)
前記ベース部材３３と基板ケース３１(主制御装置３２)とを固定する前記固定具４３は、出没式の固定具であって、図７に示す如く、前記第２の固定部４０の後側に操作部４３ａが位置すると共に、該第２の固定部４０の前側に係止部４３ｂが位置する状態で第２の固定部４０に支持されている。この固定具４３は、操作部４３ａを前方に向けて押圧操作すると、係止部４３ｂが拡開する固定位置へ変位し、操作部４３ａを後方に向けて引っ張り操作することで係止部４３ｂが縮小する固定解除位置へ変位するよう構成される。そして、前記固定具４３を固定解除位置に保持した状態で第２の被固定部４２に設けた固定筒部４２ａの後方に向けて開口する孔に係止部４３ｂを挿入し、この状態で固定具４３の操作部４３ａを押圧操作して係止部４３ｂを固定位置へ変位させることで、係止部４３ｂと固定筒部４２ａとが係合して第２の固定部４０が第２の被固定部４２に固定されるよう構成される。また、前記固定具４３の操作部４３ａを引っ張り操作して係止部４３ｂを固定解除位置へ変位させることで、係止部４３ｂと固定筒部４２ａとの係合が解除されるようになっている。
【００２８】
(通孔４４,４６について)
前記基板ケース３１における第２の固定部４０には、前記固定具４３の支持部位に隣接して前後方向に貫通する第１通孔４４が形成されている。この第１通孔４４は、図６に示す如く、該第１通孔４４を画成する右内側面が前側から後側に向かうにつれて左内側面から離間するように傾斜することで、該第１通孔４４は前側から後側に向かうにつれて拡開するよう設定される。また、前記設置部材２８の裏面には、図４または図６に示す如く、ベース部材３３に位置決め固定した基板ケース３１の第１通孔４４(第２の固定部４０)から右方に離間した位置に、後方に突出する保持部４５が設けられ、該保持部４５に、左右方向(第１通孔４４に対する近接・離間方向)に貫通する第２通孔４６が形成されている。そして、第１通孔４４および第２通孔４６に挿通されて環状とした合成樹脂製の締結バンド４７によって、基板ケース３１(主制御装置３２)が設置部材２８に対して取り外しが困難となる状態で連結される。
【００２９】
前記保持部４５は、図４〜図６に示す如く、前記設置部材２８の裏面から突出する台部４５ａと、該台部４５ａにおける左右方向の中間から後方に突出するアーチ部４５ｂとを備え、台部４５ａの後面とアーチ部４５ｂとによって前記第２通孔４６が画成される。また、保持部４５には、台部４５ａの後面における上下の端縁部に沿って、後方に延出するガイド壁４５ｃが夫々形成され、両ガイド壁４５ｃ,４５ｃによって締結バンド４７の第２通孔４６への挿通を案内するよう構成される。なお、基板ケース３１を設置部材２８に位置決め固定した状態での第１通孔４４の前側の開口位置は、図６に示す如く、前記保持部４５の台部４５ａにおける後面より後方に位置している。
【００３０】
(締結バンド４７について)
前記締結バンド４７は、図８〜図１１に示す如く、細長状のバンド本体４８と、該バンド本体４８の一端側(以後、挿入端側と称す)に設けた係合部４９と、前記バンド本体４８の他端側に設けた締結部５０と、該締結部５０に形成した締結孔５０ａ内に設けられ、前記係合部４９に係合可能な被係合部５１とを備えている。バンド本体４８は、前記第１通孔４４および第２通孔４６における内部の上下幅より細幅に設定された挿入部４８ａと、該挿入部４８ａより幅広に設定されて締結部５０から挿入端側に向けて所定長さで延在する規制部４８ｂとを備え、該バンド本体４８は、前記第１通孔４４および第２通孔４６に挿通可能な幅寸法に設定されている。なお、挿入部４８ａは、規制部４８ｂより厚みが小さく設定された薄肉部および厚みが大きく設定された厚肉部を備え、該挿入部４８ａは薄肉部が規制部４８ｂに接続されて該薄肉部において板厚方向に折り曲げ易くなっている。実施例の規制部４８ｂは、挿入部４８ａの数倍(実施例では約３倍)の幅寸法に設定されると共に、該規制部４８ｂの厚みは前記の如く挿入部４８ａの薄肉部より厚く設定されて、規制部４８ｂは、挿入部４８ａより板厚方向へ折り曲げ難く構成されている。また、挿入部４８ａの所定位置に、後述する挿入口部５０ｂ(図１０,図１１参照)を塞ぐ蓋部５２が設けられると共に、該蓋部５２より挿入端側(締結部５０から離間する側)に前記係合部４９が設けられている。
【００３１】
前記係合部４９は、挿入部４８ａにおける厚み方向一方の面(締結バンド４７を環状とした際に内側となる裏面)に突設されて挿入部４８ａにおける挿入端から他端に向かうにつれて突出量が大きくなる三角形状に形成される(図１０参照)。また係合部４９の幅は、挿入部４８ａの幅と同一に設定される。なお、挿入部４８ａの裏面における係合部４９と前記蓋部５２との間に、該係合部４９と略同一形状の第１係合片５３が突設されると共に、挿入部４８ａにおける厚み方向の他方の面(締結バンド４７を環状とした際に外側となる表面)には、係合部４９と対応する位置に第２係合片５４が突設されている。第２係合片５４は、挿入部４８ａの幅寸法より小さい幅で、該挿入部４８ａの幅方向の略中間に設けられる。また、前記係合部４９、蓋部５２、第１係合片５３および第２係合片５４は、挿入部４８ａにおける前記厚肉部に設けられて、該係合部４９、蓋部５２、第１係合片５３および第２係合片５４が締結部５０の対応箇所に係合した状態で、厚肉部の変形を困難にして係合が解除されるのを抑制し得るようになっている。
【００３２】
前記締結部５０は、図８〜図１０に示す如く、前記規制部４８ｂの他端に連設されて、該規制部４８ｂ(バンド本体４８)の表面(第２係合片５４が設けられる側)から所定長さで突出する柱状の部分であって、該締結部５０は、前記第１通孔４４および第２通孔４６に挿通不能な大きさに設定されている。また締結部５０には、バンド本体４８の表裏方向に貫通する前記締結孔５０ａが穿設される。締結孔５０ａは、前記挿入部４８ａが挿入可能な寸法に設定された角孔であって、裏面側の開口部分には、開口寸法が前記挿入部４８ａに設けた蓋部５２を収容可能な寸法に設定された挿入口部５０ｂが形成されている。また締結部５０には、締結孔５０ａの内部におけるバンド本体４８が延出する側に対応する一方の内側面(図１０において左側の内側面)に、前記係合部４９が係合可能な被係合部５１が設けられている。更に、締結部５０には、締結孔５０ａの内部における被係合部５１が設けられる内側面と対向する他方の内側面に、前記挿入口部５０ｂから被係合部５１と対向する位置までの間に延在する係合溝５０ｃが形成され、該係合溝５０ｃに前記第２係合片５４が挿入されるようになっている。
【００３３】
前記締結バンド４７は、図１１に示す如く、前記締結孔５０ａに対して挿入口部５０ｂから挿入部４８ａの挿入端側を挿入し、係合部４９が被係合部５１に係合したときに、係合溝５０ｃに挿入された第２係合片５４が係合溝５０ｃの底部分に当接して位置規制されると共に、前記第１係合片５３の突出端が締結孔５０ａの一方の内側面に当接した状態で、挿入部４８ａの厚み方向への変位(被係合部５１と係合部４９との係合が解除される方向の変位)が規制されて、被係合部５１と係合部４９とが係合保持される。これにより、締結孔５０ａに挿入した挿入部４８ａの締結孔５０ａからの抜き外しは極めて困難となり、挿入部４８ａを締結孔５０ａから抜け止め状態に保持し得るようになっている。また、前記被係合部５１と係合部４９とが係合した状態において、挿入部４８ａに設けた前記蓋部５２が挿入口部５０ｂに収容されて該挿入口部５０ｂを塞ぎ、締結孔５０ａに対してドライバー等の工具を挿入口部５０ｂ側から差し込んで被係合部５１と係合部４９との係合状態を解除する行為を防止し得るよう構成される。
【００３４】
なお、前記締結孔５０ａにおける挿入口部５０ｂとは反対側の口部における被係合部５１および係合溝５０ｃが設けられる内側面間の離間寸法は、係合部４９および第１係合片５３が設けられている部位の挿入部４８ａの挿通を許容しない値に設定されている。また、被係合部５１と係合部４９とが係合した状態で、前記挿入部４８ａの挿入端側は、締結孔５０ａにおける挿入口部５０ｂとは反対側の口部から外方に所定長さだけ延出すると共に、該口部を画成する内側面と挿入部４８ａの外面との間に画成される隙間は極僅かとなるよう設定される。
【００３５】
前記締結部５０の他端側から規制部４８ｂの一端側までの長さは、基板ケース３１の第２の固定部４０に形成した前記第１通孔４４と、設置部材２８の保持部４５に形成した第２通孔４６との離間距離より長く設定される。より具体的には、第１通孔４４が形成された第２の固定部４０と第２通孔４６が形成された保持部４５(アーチ部４５ｂ)との対向する端縁部間の離間距離より、規制部４８ｂと締結部５０とを足した長さ(より具体的には、締結部５０の締結孔５０ａにおける規制部４８ｂ側の端縁から規制部４８ｂと挿入部４８ａの薄肉部との接続部までの長さ)が長くなっている。前記挿入部４８ａより幅広で、かつ該挿入部４８ａの薄肉部より肉厚に設定された規制部４８ｂは、挿入部４８ａより板厚方向に折り曲げ難くなっており、該規制部４８ｂを折り曲げつつ第１通孔４４や第２通孔４６に挿通するように締結バンド４７を回転して該締結バンド４７の姿勢を自由に変化させるのを規制し得るよう構成されている。
【００３６】
(識別部５５について)
前記締結バンド４７には、赤外線の照射を受けて、目視できない赤外線波長域で発光して(赤外線を発して)専用の検査装置５７(図１２,図１３参照)により検知可能となる識別部５５が設けられている。以下の説明において、識別部５５に外部から照射される赤外線を「入射赤外線」といい、入射赤外線によって識別部５５から発せられる赤外線を「励起赤外線」という。実施例の識別部５５は、所定波長域の入射赤外線によって励起されて入射赤外線と異なる特定波長域で発光するよう構成され、例えば識別部５５は、８００ｎｍの入射赤外線に励起されて、１０００ｎｍの励起赤外線を発するようになっている。
【００３７】
前記識別部５５は、入射赤外線によって励起されて入射赤外線と異なる特定波長域で発光する赤外線インクが混練された部位であって、該識別部５５は、無色透明あるいは付与対象となる締結バンド４７と同色とされて、締結バンド４７の外観に影響を与えないよう構成するのが望ましい。赤外線インクは、ＺｎＳを母体とし、Ｎｄ等の発光中心をド−プした蛍光体や、ＷＯ4、Ｐ4Ｏ12、Ｍｏ4Ｏ16等の酸化物にＮｄ等をド−プした蛍光体や、Ｎｄの一部をＹ、Ｓｃ、Ｌａ、Ｃｅ等で置換した蛍光体等を備える。なお、識別部５５は、蛍光体からなる識別材を付着させるバインダとして、ポリエステル樹脂、ポリウレタン樹脂、ポリカーボネート樹脂、アクリル樹脂、フェノール樹脂等の樹脂を含んでいてもよく、このバインダは赤外線の透過を妨げるものではない。なお、識別部５５は、入射赤外線が照射されると当該入射赤外線を反射や吸収等して、入射赤外線と異なる波長域の励起赤外線を返す構成であってもよい。
【００３８】
実施例では、識別部５５は締結バンド４７と同色であって、締結バンド４７において識別部５５が形成されている部位と識別部５５が形成されていない部位との見分けが付かないようになっている。また実施例では、前記規制部４８ｂの表面側に設けられた複数の識別部５５の配置によって、識別情報パターンを形成している(図面では、バンド表面から突出した丸や三角で各識別部５５を表示しているが、バンド表面から突出しないものであってもよい)。なお、識別部５５により形成される識別情報パターンとしては、文字、模様、図形、線や点等の配列などを選択することができる。また、識別部５５は、設置部材２８と基板ケース３１とを連結した状態の締結バンド４７において後側に臨む規制部４８ｂに設けられて、検査装置５７での検査を容易に行ない得るようにしてある。
【００３９】
(検査装置５７について)
次に、識別部５５の適否を検査する検査装置５７について説明する。図１２および図１３に示すように、検査装置５７は、識別部５５に対して入射赤外線を照射する照射部５８と、識別部５５が発する励起赤外線を検知する検知部５９と、この検知部５９で検知された励起赤外線を予め設定された照合基準と照合する照合部６０と、この照合部６０の照合結果に基づいて所定の情報を外部に報知する報知部６１とを備えている。また、検査装置５７は、検査者が指先操作可能な操作部６２を備え、この操作部６２の操作によって照射部５８による入射赤外線の照射または照射停止を操作し得るようになっている。なお、検査装置５７では、締結バンド４７の外側から入射赤外線を照射して、識別部５５から発せられた励起赤外線に基づいて検査が行われる。検査装置５７は、ハウジング５７ａに収納された電池(図示せず)の電力によって、照射部５８、検知部５９、照合部６０および報知部６１を作動している。
【００４０】
図１２に示すように、検査装置５７は、携帯可能なサイズのハウジング５７ａに、照射部５８、検知部５９、照合部６０、報知部６１および操作部６２が設けられてユニット化されており、検査者が検査装置５７を持ち運んで、締結バンド４７を検査し得るようになっている。なお、実施例のハウジング５７ａは、矩形箱状に形成されている(図１２参照)。検査装置５７は、照射部５８および検知部５９が、ハウジング５７ａの端面(検査端面という)に臨むように設けられ、検査装置５７は、検査端面を締結バンド４７に向かい合わせて検査を行なうようになっている。
【００４１】
前記照射部５８は、入射赤外線を締結バンド４７に対して照射するものであって、例えば発光ダイオードが用いられる。実施例の照射部５８は、識別部５５を構成する識別材が反射・吸収・発光させることができる一定波長域の入射赤外線を、操作部６２のＯＮ操作に基づいて連続的に照射するよう構成され、操作部６２のＯＦＦ操作により照射を停止するようになっている。
【００４２】
前記検知部５９は、ハウジング５７ａにおける照射部５８が臨む端面と同じ面に臨むように設けられ、照射部５８から照射された入射赤外線によって励起された識別材の励起赤外線を検知するようになっている。検知部５９としては、フォトダイオード、フォトトランジスタあるいはＣＣＤ等を用いることができ、実施例では検知部５９としてフォトダイオードが採用されている。また、検知部５９は、識別部５５が発する特定波長域の赤外線だけを透過するフィルタが設けられて、検知部５９は該特定波長域の赤外線を検知するよう構成されている。ここで、照射部５８から照射した入射赤外線が識別部５５以外の部位で反射や吸収(変調)されることで、照射した入射赤外線の波長のまま等、識別材が発する特定波長域以外の赤外線が、検査対象から返ってくることが考えられる。実施例の検知部５９のように、照射部５８からの入射赤外線(例えば８００ｎｍ)に励起されて識別部５５が発する特定波長域(例えば１０００ｎｍ)だけを検知するよう構成することで、識別部５５以外を検知してしまう誤検知を防止できる。
【００４３】
前記照合部６０は、検知部５９と電気的に接続されており(図１３参照)、検知部５９から励起赤外線の検知信号が入力されるようになっている。照合部６０は、フィルタによって透過された特定波長域の励起赤外線の検知受光強度を数値化する変換手段６０ａと、照合基準が設定・記憶され、変換手段６０ａで数値化された検知信号値と照合基準とを比較して適否を判断する比較判定手段６０ｂとを備えている。実施例の比較判定手段６０ｂには、適正な識別部５５が付与された締結バンド４７に対して照射部５８から入射赤外線を照射した際に、検知部５９で検知されるべき受光強度の検出信号の値(設定受光強度)が、識別材の付与量の変動や照射部５８における入射赤外線の照射強度のばらつき、入射赤外線の安定度や減衰等を考慮した所定の幅を持たして記憶されている。比較判定手段６０ｂは、変換手段６０ａで数値化された検知受光強度の値と設定受光強度の値とを比較し、検知受光強度の値が設定受光強度の値以上であれば、報知部６１に良判定信号を出力する。これに対し、比較判定手段６０ｂは、変換手段６０ａで数値化された検知受光強度の値と設定受光強度の値とを比較し、検知受光強度の値が設定受光強度の値を下回れば、報知部６１に対して何も信号を出力しない。また、比較判定手段６０ｂは、変換手段６０ａで数値化された検知受光強度の値と設定受光強度の値とを比較し、検知受光強度の値が設定受光強度の値以上であっても、予め比較判定手段６０ｂに設定された所定の上限値(上限値＞設定受光強度)よりも検知受光強度が高ければ、報知部６１に対して何も信号を出力しない。
【００４４】
前記報知部６１は、ＬＥＤ等からなる発光手段６１ａと音出力手段６１ｂとを備え、正常および異常の少なくとも一方の情報を、光と音との両方によって報知し得るよう構成されている。報知部６１は、比較判定手段６０ｂから良判定信号が入力されると、発光手段６１ａを発光すると共に、ビープ音等の機械音や音声等が音出力手段６１ｂから出力され、検査者は報知部６１による光および音の報知によって検査対象が正規品であると判断できる。これに対して、報知部６１は、比較判定手段６０ｂから良判定信号が入力されないと、発光手段６１ａを消灯すると共に音出力手段６１ｂから何も出力されないので、検査者は報知部６１の無反応により検査対象が正規品ではないと判断できる。また、締結バンド４７において識別部５５により識別情報パターンが形成されている場合は、締結バンド４７の表側に沿って検査装置５７の検査端面を動かすことで、検知される励起赤外線によって所定の識別情報パターンの報知がなされ、この報知パターンによっても正規品か否かを判別できる。
【００４５】
前記検査装置５７は、設置部材２８と基板ケース３１とを連結した締結バンド４７の識別部５５に合わせて、照射部５８から照射する入射赤外線の波長域や、入射赤外線と異なる波長域の励起赤外線を検知するため検知部１５９、照合部６０の照合基準が設定されている。このように、締結バンド４７とこの締結バンド４７を検査可能な検査装置５７とは、関連付けられており、締結バンド４７と検査装置５７とによって検査システムが構成される。なお、実施例の検査装置５７は、締結バンド４７から離した状態で検査を行なえるので、締結バンド４７に合わせて特別な形状とすることも特に必要はなく、汎用性が高い。
【００４６】
(ベース部材３３のガイド部５６について)
前記ベース部材３３には、前記基板ケース３１の第２の固定部４０と、設置部材２８の保持部４５との間に臨む位置に、前記締結バンド４７における挿入部４８ａの第１通孔４４への挿通を案内するガイド部５６が設けられている。このガイド部５６は、図５に示す如く、左右方向に延在する案内面５６ａと、該案内面５６ａの上下の端縁部に沿って形成されて後方に延出する一対のガイド片５６ｂ,５６ｂとを備え、該案内面５６ａと一対のガイド片５６ｂ,５６ｂとにより後方および左右方向に開口する案内溝５６ｃが形成されている。前記案内面５６ａおける保持部側の端部は、図６に示す如く、保持部４５における台部４５ａの後面より前側に位置すると共に、該案内面５６ａにおける第２の固定部側の端部は第２の固定部４０の前側に臨んでいる。また、案内面５６ａにおける第２の固定部側の所定領域は、第２の固定部４０に近接するにつれて後方に湾曲するよう形成されると共に、その端部は第１通孔４４を画成する前記右内側面より内側(右側)に位置するよう設定される。これにより、前記第２通孔４６に右側から挿通された締結バンド４７の挿入部４８ａを案内面５６ａで案内して第１通孔４４にスムーズに挿通させ得るよう構成される。
【００４７】
前記各ガイド片５６ａ,５６ａは、前記保持部４５の対応するガイド壁４５ｃ,４５ｃと左右方向に整列するよう形成され、前記第２通孔４６に右側から挿通された締結バンド４７の挿入部４８ａが上下に変位するのを一対のガイド片５６ａ,５６ａで規制するよう構成される。また、一対のガイド片５６ａ,５６ａにおける第２の固定部４０の前側に臨む端部は、前記第１通孔４４の内側に臨むよう設定され、該ガイド片５６ａ,５６ａで位置規制されつつ移動する挿入部４８ａを第１通孔４４に確実に案内し得るようになっている。
【００４８】
(実施例の作用)
次に、実施例に係るパチンコ機１０の作用につき説明する。
【００４９】
前記設置部材２８に対してベース部材３３を取り付けるに際しては、設置部材２８の裏面にベース部材３３の前面を対向すると共に、前記第１の係合突部３４を設置部材２８に設けた前記被係合受部３６ａの右方に臨ませた状態で、該ベース部材３３を設置部材２８に対して左側へ移動することで、設置部材２８の裏面と被係合受部３６ａ,３６ａとの間に第１の係合突部３４が挿入され、これによってベース部材３３の左端部が設置部材２８に対して係止される。また、第１の係合突部３４に設けた規制突部３４ａが一対の被係合受部３６ａ,３６ａの間に嵌合し、当該ベース部材３３の左端部は左方、前後および上下方向への移動が規制された状態で設置部材２８に対して位置決めされる。このとき、ベース部材３３の第１の固定部３５が、設置部材２８の第１の被固定部３７の後側に整合するので、該第１の固定部３５に支持している連結具３８によって第１の被固定部３７に第１の固定部３５を連結することで、設置部材２８に対してベース部材３３は所定位置に位置決め固定される。なお、連結具３８による連結を解除することで、ベース部材３３を設置部材２８から取り外すことができる。
【００５０】
前記設置部材２８に位置決め固定したベース部材３３に主制御装置３２を取り付けるに際しては、ベース部材３３の裏面に前記基板ケース３１の前面を対向すると共に、前記第２の係合突部３９をベース部材３３に設けた前記差込み受部４１の右方に臨ませた状態で、該基板ケース３１をベース部材３３に対して左側へ移動することで、差込み受部４１の係合孔４１ａに第２の係合突部３９が挿入され(図６参照)、これによって基板ケース３１の左端部が設置部材２８に対して左方、前後および上下方向への移動が規制された状態でベース部材３３に位置決めされる。このとき、基板ケース３１の第２の固定部４０が、ベース部材３３の第２の被固定部４２の後側に略整合しており、基板ケース３１の右端部をベース部材３３に近接することで、該第２の固定部４０に支持している固定具４３の係止部４３ｂが前記第２の被固定部４２における固定筒部４２ａの孔に挿入される(図７参照)。そして、この状態で固定具４３の操作部４３ａを押圧することで、前記係止部４３ｂが固定位置へ変位して固定筒部４２ａと係合し、基板ケース３１(主制御装置３２)はベース部材３３に位置決め固定される。
【００５１】
次に、前記基板ケース３１と設置部材２８とを締結バンド４７で連結する工程を説明する。前記締結バンド４７の表面を設置部材２８の裏面に対向する姿勢とした状態で、該締結バンド４７における挿入部４８ａの挿入端を、前記保持部４５における台部４５ａの後面に当接した状態で左方に移動させる。台部４５ａには、上下端縁に沿ってガイド壁４５ｃ,４５ｃが設けられているので、挿入部４８ａは上下のガイド壁４５ｃ,４５ｃによって上下方向に大きく変位することなく第２通孔４６に確実に挿通される。第２通孔４６を挿通した挿入部４８ａの挿入端は、引続き前記ガイド部５６の案内面５６ａおよびガイド片５６ｂ,５６ｂで案内されつつ左方に移動し、前記第１通孔４４に挿通されて第２の固定部４０から後方に延出する。なお、台部４５ａの後面に対してガイド部５６の案内面５６ａにおける台部側の端部は前側に位置すると共に、第１通孔４４における第２通孔４６から離間する側に傾斜している内側面に対して案内面５６ａの第１通孔側の端部は第１通孔４４の内側に変位しているので、台部４５ａの後面および案内面５６ａに沿って案内される挿入部４８ａの挿入端が、ガイド部５６の側端や第２の固定部４０の前面に突き当たることなくスムーズに第１通孔４４に挿通される。すなわち、保持部４５のアーチ部４５ｂや第２の固定部４０の存在によって作業者が締結バンド４７を第１および第２通孔４４,４６に挿通する作業を行なう側(設置部材２８の裏側)から通孔４４,４６と挿入部４８ａとの関係が見え難い構成であっても、該挿入部４８を両通孔４４,４６に簡単に挿通することができ、作業性がよい。
【００５２】
前記第２の固定部４０から後方に延出した挿入部４８ａを、前記締結部５０の締結孔５０ａに挿入口部５０ｂ側から挿入する。そして、締結孔５０ａにおける挿入口部５０ｂと反対側の口部から外方に延出した挿入部４８ａを更に引っ張ることで、該挿入部４８ａに設けた前記係合部４９が締結孔５０ａ内の被係合部５１に係合する。係合部４９が被係合部５１に係合した状態では、図１１に示す如く、前記係合溝５０ｃに挿入された第２係合片５４が係合溝５０ｃの底部分に当接して位置規制されると共に、前記第１係合片５３の突出端が締結孔５０ａの一方の内側面に当接して、被係合部５１と係合部４９との係合が解除される方向への挿入部４８ａの変位が規制される。すなわち、締結バンド４７は、第１通孔４４と第２通孔４６とに挿入部４８ａが挿通された環状になった状態で、該挿入部４８ａを締結孔５０ａから抜き外すのは困難な状態に保持される。これにより、締結バンド４７を切断して通孔４４,４６から引き抜かない限り、ベース部材３３(設置部材２８)に対して主制御装置３２(基板ケース３１)を取り外すのは困難となり、主制御装置３２を不正に取り外して偽装品と交換するのを抑制し得る。また、締結バンド４７を切断した場合は、新しい締結バンドを取り付けない限り、該バンドが無いことによって不正の痕跡が残るので、不正行為を発見することが容易である。
【００５３】
更に、前記締結バンド４７は、入射赤外線によって励起された励起赤外線を発する識別部５５を備えているので、該締結バンド４７に向けて入射赤外線を照射することで、正規品の締結バンド４７であれば、識別部５５が赤外線領域で発光するのに対し、外観だけを模倣して識別部を備えていない不正な締結バンドに交換されていれば、照合基準を満たす赤外線は該締結バンドから発せられない。すなわち、識別部５５によって発せられる励起赤外線を検知して照合基準と照合することで、入射赤外線を照射した締結バンド４７が正規品であるか否かを簡単に確認でき、正規の締結バンド４７によって連結された主制御装置３２であれば正規品であることが判る。ここで、識別部５５は、入射赤外線と異なる波長域の励起赤外線を発するようにすれば、照射した入射赤外線の単なる反射と区別することができ、識別部５５を精度よく検知し得る。
【００５４】
実施例の識別部５５は、入射赤外線によって励起されて励起赤外線を発するので、入射赤外線の照射の有無にかかわらず、識別部５５自体が目視できず、仮に赤外線を照射したとしても専用の検査装置５７を保有していない者は、識別部５５の存在が分からない。このように、識別部５５は、入射赤外線または入射赤外線以外の光線(可視光や紫外線)をあてても、人の目で識別可能な態様で識別部５５が発光しないので、不正行為対策を行っていること自体が気づかれ難く、不正行為者の締結バンド４７の偽造をより困難にすることができる。
【００５５】
前記締結バンド４７は、識別部５５を所定パターンで形成することで、識別部５５から発せられる励起赤外線により形成される識別情報パターンによっても、締結バンド４７が正規品であるか否かを判別することができる。また、識別部５５の識別情報パターンを、例えばロットや機種や構成部材等で変更することで、これらロットや機種や構成部材等に合わせた識別情報パターン情報を有している者だけが締結バンド４７の真贋判定を行なうことができ、不正行為者の複製等の不正行為をより困難にすることができる。なお、実施例の締結バンド４７では、板厚方向に折れ曲がり難く、かつ設置部材２８と基板ケース３１とを連結した状態で後側に臨む規制部４８ｂに識別部５５を設けたので、他の部品等が邪魔となることはなく、識別部５５に入射赤外線を照射する真贋判定が容易となる。
【００５６】
ここで、不正行為者が締結バンド４７を切断することなく、前記被係合部５１と係合部４９との係合を無理矢理解除して挿入部４８ａを締結孔５０ａから抜き外すことが考えられる。この場合において、前記挿入部４８ａの挿入端側が締結孔５０ａから延出する側の口部の開口寸法は小さく、該口部側から工具を差し込んで被係合部５１と係合部４９との係合状態を解除するのは極めて困難である。また、実施例の締結バンド４７は、図６に示す如く、保持部４５および第２の固定部４０の後側に臨む締結部５０および規制部４８ｂは厚み方向に折り曲げ難く、かつ締結部５０と規制部４８ｂとを足した長さが、前記第１通孔４４が形成された第２の固定部４０と第２通孔４６が形成された保持部４５(アーチ部４５ｂ)との対向端部間の離間距離より長く設定されている。従って、規制部４８ｂを無理矢理折り曲げつつ第２通孔４６および第１通孔４４に挿通するように締結バンド４７を回転し、締結孔５０ａの挿入口部５０ｂを保持部４５および第２の固定部４０の後側(不正行為者が工具を締結孔５０ａに差し込もうとする行為を行ない易い側)に臨ませることは困難であり、不正行為を抑制することができる。なお、仮に挿入口部５０ｂを保持部４５や第２の固定部４０の後側に臨ませることができたとしても、該挿入口部５０ｂは前記蓋部５２で塞がれているので、工具を締結孔５０ａに差し込んで被係合部５１と係合部４９との係合状態を強制的に解除するのは極めて困難であり、不正行為を確実に抑制し得る。
【００５７】
また、前記締結部５０の締結孔５０ａに挿通されている挿入部４８ａにおける前記係合部４９、蓋部５２、第１係合片５３および第２係合片５４の形成部位は肉厚に形成されて板厚方向への折り曲げは困難に構成してあるので、工具による被係合部５１と係合部４９との係合状態を強制的に解除するのをより困難にしている。但し、挿入部４８ａにおける規制部４８ｂと、係合部４９、蓋部５２、第１係合片５３および第２係合片５４が形成される厚肉部とを、該厚肉部より厚みの薄い所定長さ寸法の薄肉部で連結しているので、板厚方向に曲がり難い規制部４８ｂや厚肉部を設けても、締結バンド４７を環状にする際には薄肉部が曲がることで作業性が低下することはない。
【００５８】
(別実施例について)
図１４は、主制御装置３２と設置部材２８とを連結する部分の別実施例を示すものであって、基本的な構成は前記実施例と同じであるので、実施例と同一の部材や部分には同じ符号を付して異なる部分についてのみ説明する。
【００５９】
別実施例では、図１４に示す如く、設置部材２８に基板ケース３１(主制御装置３２)を位置決め固定した状態で、設置部材２８の保持部４５に基板ケース３１の第２の固定部４０が隣接するよう構成される。なお、保持部４５と第２の固定部４０とを隣接することで、実施例のガイド部５６は省略されている。そして、基板ケース３１に形成した第１通孔４４および保持部４５に形成した第２通孔４６に挿通して環状とした締結バンド４７で保持部４５と第２の固定部４０とを連結した状態では、締結バンド４７の内側と保持部４５および第２の固定部４０との間に略隙間がないよう構成される。すなわち、締結バンド４７で連結した状態で保持部４５に対して第２の固定部４０が移動し得る範囲は僅かであって、別実施例では前記固定具４３の係止部４３ｂが第２の被固定部４２の固定筒部４２ａから抜き外すことができない寸法に設定される。これにより、基板ケース３１を設置部材２８から後方へ離間する移動が締結バンド４７によって規制され、固定具４３の係止部４３ｂを第２の被固定部４２の固定筒部４２ａから抜き外すことを阻止し得る。従って、基板ケース３１を横方向(右方向)に移動して前記第２の係合突部３９を係合孔４１ａから抜き外すことができず、設置部材２８に締結バンド４７で基板ケース３１を連結させた状態のまま、該基板ケース３１を設置部材２８から取り外す不正行為を抑制し得る。また、第２の固定部４０から固定具４３が取り外されたとしても、保持部４５と第２の固定部４０とが締結バンド４７で連結された状態では基板ケース３１の横方向の移動は規制されているから、この場合であっても第２の係合突部３９を係合孔４１ａから抜き外すのを阻止することができ、基板ケース３１を設置部材２８に締結バンド４７で連結したまま、該基板ケース３１を設置部材２８から取り外す不正行為を抑制し得る。
【００６０】
(変更例)
本願は前述した実施例や別実施例の構成に限定されるものではなく、その他の構成を適宜に採用することができる。
(1) 実施例では、設置部材に配設したベース部材に対して主制御装置を取り付ける構成で説明したが、設置部材に係合孔および被固定部を設け、設置部材に直に主制御装置を取り付ける構成であってもよい。
(2) 実施例では、設置部材と主制御装置の基板ケースとを締結バンドで連結したが、ベース部材と設置部材とを別の締結バンドで連結する構成を付加することができる。すなわち、設置部材に設けた第２の保持部に形成した通孔とベース部材の第１の被固定部に形成した通孔とに締結バンドを挿通して連結する構成を採用し得る。
(3) 実施例では、設置部材および基板ケースの固定具で固定する側を締結バンドで連結したが、基板ケースの係合突部が設けられる側を締結バンドで設置部材に連結する構成を採用し得る。この場合に、設置部材に対して基板ケースを、係合孔から係合突部を抜き外す方向へ移動するのを規制するように、締結バンドで設置部材と基板ケースとを緊密に連結するのが好適である。
(4) 実施例では、設置部材に対して締結バンドで連結する制御装置として、主制御基板を基板ケースに収容した主制御装置の場合で説明したが、その他の制御基板を基板ケースに収容した各種の制御装置に適用し得る。また設置部材は、遊技盤の裏側に配設されるものに限らず、中枠の裏側に配設されるものや、または中枠自体を設置部材として、該設置部材に払出し制御基板、その他の制御基板を基板ケースに収容した制御装置を中枠に取り付ける構成において、設置部材と制御装置とを締結バンドで連結する構成を採用し得る。
(5) 実施例では、締結バンドの一部に識別部を設けた場合で説明したが、締結バンドの全体に赤外線インクを塗布したものや、赤外線インクを混合した合成樹脂材料で締結バンドを形成する構成であってもよい。また、締結バンドに会社名やロゴマークを彫刻し、該彫刻部分に赤外線インクを塗布して識別部としてもよく、この場合であっても彫刻部分に赤外線インクが塗布されているか否かは目視では分からないので、不正対策が施されていることは見破られない。
(6) 締結バンドが正規品であるか否かを判別する手段として、該締結バンドにホログラムを設ける構成を採用し得る。
(7) 遊技機としては、パチンコ機に限られるものではなく、アレンジボール機やパチンコ球を用いたスロットマシン等、その他各種の遊技機であってもよい。
本願には、例えば以下のような技術的思想が含まれている。
(Ａ）請求項１または２の何れか一項に記載の構成を含む遊技機において、
前記締結バンド(47)に、照射された赤外線により検知可能となる識別部(55)が設けられたことを要旨とする。
これによれば、締結バンド自体が偽装品か否かの判別が容易である。
(Ｂ）請求項１,２,(Ａ)の何れか一項に記載の構成を含む遊技機において、
前記設置部材(28)に前記締結バンド(47)で連結された前記基板ケース(31)は、該締結バンド(47)によって前記設置部材(28)から離間する移動が規制されるよう構成したことを要旨とする。
これによれば、設置部材から基板ケースを離間する移動が締結バンドで規制されるので、設置部材に締結バンドで連結したまま基板ケースを取り外すのを困難として不正行為を抑制し得る。
(Ｃ）請求項１,２,(Ａ),(Ｂ)の何れか一項に記載の構成を含む遊技機において、
前記バンド本体(48)は、前記第１および第２通孔(44,46)に挿通される挿入部(48a)と、該挿入部(48a)より幅広で前記締結部(50)から一端側に所定長さで形成された規制部(48b)とを備え、該締結部(50)の他端側から前記規制部(48b)の一端側までの長さは、前記第１通孔(44)と前記第２通孔(46)との離間距離より長く設定されたことを要旨とする。
これによれば、幅広の規制部は折り曲げ難いので、締結バンドを通孔の挿通方向に自由に移動(回転)するのを困難として、締結バンドを、係合部と被係合部との係合部位を工具を用いて破壊し易い姿勢とするのを防止し得る。
【符号の説明】
【００６１】
２８ 設置部材
３１ 基板ケース
３９ 第２の係合突部(係合部)
４１ 差込み受部(被係合部)
４７ 締結バンド
４８ バンド本体
４９ 係合部
５０ 締結部
５０ａ 締結孔
５１ 被係合部
【図１】
2015142851.tif 000003
【図２】
2015142851.tif 000004
【図３】
2015142851.tif 000005
【図４】
2015142851.tif 000006
【図５】
2015142851.tif 000007
【図６】
2015142851.tif 000008
【図７】
2015142851.tif 000009
【図８】
2015142851.tif 000010
【図９】
2015142851.tif 000011
【図１０】
2015142851.tif 000012
【図１１】
2015142851.tif 000013
【図１２】
2015142851.tif 000014
【図１３】
2015142851.tif 000015
【図１４】
2015142851.tif 000016